(57)【要約】【課題】  部品点数、工数を削減できるガス発生器の提供。【解決手段】  ハウジング13内に配置されたクーラントフィルタ15は、上端面が上部環状傾斜面16に当接され、下端面が下部環状傾斜面17に当接されている。そして、位置決め部40により、半径方向の移動が阻止されることで、完全に位置決めされている。従来使用していたクーラントサポートが不要になる。【選択図】  図１
2008114773.tif 000002
【特許請求の範囲】
【請求項１】
ハウジング内に、点火器、ガス発生剤、クーラントフィルタを有するガス発生器であって、ハウジングの天井面及び底面の少なくとも一方に、予め内側に凸状に形成されたクーラントフィルタの位置決め部を有し、前記位置決め部でクーラントフィルタが位置決めされている、ガス発生器。
【請求項２】
前記位置決め部が、ハウジング天井面において内側に凸状に形成された環状突起又は複数の独立した突起の組み合わせである、請求項１記載のガス発生器。
【請求項３】
前記位置決め部が、ハウジングの所定位置を外側からプレスすることで形成されたものである、請求項１又は２記載のガス発生器。
【請求項４】
前記位置決め部が、ハウジング天井面において内側に凸状に形成された環状突起であり、クーラントフィルタの位置決めと、クーラントフィルタとハウジング内表面との接触部分から燃焼残渣が漏れるショートパスを防止する機能を有するものである、請求項１〜３のいずれかに記載のガス発生器。
【請求項５】
ディスク形状のガス発生器である請求項１〜４のいずれかに記載のガス発生器。
【発明の詳細な説明】
【技術分野】
【０００１】
本発明は、エアバッグ装置等に使用できるガス発生器に関する。
【背景技術】
【０００２】
図３に示すガス発生器１００の外殻を形成するハウジング１０３は、ガス排出口１０４を有するクロージャシェル１０１とディフューザシェル１０２が、それらのフランジ部で溶接一体化されたものである。
【０００３】
ハウジング１０３内には、ガス発生剤の燃焼により発生したガスを冷却・濾過するための筒状のクーラントフィルタ１０５が配置されている。そして、クーラントフィルタ１０５は、両端面がハウジング天井面と底面に形成された環状傾斜面１０６、１０７に圧接された状態で配置されている。
【０００４】
図３に示すガス発生器では、クーラントフィルタ１０５が半径方向の内側に動かないように固定するためには、更に環状のクーラントサポート１０８を配置する必要がある。
【０００５】
特許文献１には、運転席用の長軸シリンダ型のインフレータが開示されている。このインフレータは、凸部（環状クリンプ）６０、６２を有しているが、環状クリンプ６０、６２を形成する際は、先にハウジング１２内に隔壁を挿入した後で形成しなければならず、工数が多くなる。更に特許文献１では、ハウジング１２の外側から力を加えることで内部方向に凸部が形成されるが、その際、内部側から凸部の形成を制御する金型がないので、形成される凸部形状が一定形状にならない。
【特許文献１】ＵＳ６，６４７，２７７  Ｂ１
【発明の開示】
【発明が解決しようとする課題】
【０００６】
クーラントサポートを使用することで、クーラントフィルタの位置決め（取付位置の決定、その位置に固定することを含む）することができるが、部品点数が増えること、工数が増えること、全体の質量が増加することという問題がある。
【０００７】
本発明は、クーラントフィルタの位置決めのためのクーラントサポートを不要にし、簡単な構造でクーラントフィルタの位置決めができるガス発生器を提供することを課題とする。
【課題を解決するための手段】
【０００８】
本発明は、課題の解決手段として、
ハウジング内に、点火器、ガス発生剤、クーラントフィルタを有するガス発生器であって、ハウジングの天井面及び底面の少なくとも一方に、予め内側に凸状に形成されたクーラントフィルタの位置決め部を有し、前記位置決め部でクーラントフィルタが位置決めされている、ガス発生器を提供する。
【０００９】
ハウジングの天井面及び底面の少なくとも一方に、内側に凸状に形成された位置決め部を形成して、この位置決め部により、クーラントフィルタの位置決めをすることで、従来のクーラントサポートが不要になる。
【００１０】
本発明は、課題の他の解決手段として、前記位置決め部材が、ハウジング天井面において内側に凸状に形成された環状突起又は複数の独立した突起の組み合わせである、請求項１記載のガス発生器を提供する。
【００１１】
位置決め部は、環状突起、全体を円周上に等間隔で配置した複数の独立突起（３〜１０数個程度の独立突起）の組み合わせからなるものにすることができる。
【００１２】
本発明は、課題の他の解決手段として、前記位置決め部材が、ハウジングの所定位置を外側からプレスすることで形成されたものである、請求項１又は２記載のガス発生器を提供する。
【００１３】
位置決め部は、ハウジングを外側からプレスする方法で容易に形成できるため、従来の製造ライン実質的に変更することなく（即ち、実質的に工数を増加することなく）、ハウジングをプレス成形する過程で一緒に位置決め部も形成できる。
【００１４】
本発明は、課題の他の解決手段として、前記位置決め部が、ハウジング天井面において内側に凸状に形成された環状突起であり、クーラントフィルタの位置決めと、クーラントフィルタとハウジング内表面との接触部分から燃焼残渣が漏れるショートパスを防止する機能を有するものである、請求項１〜３のいずれかに記載のガス発生器を提供する。
【００１５】
位置決め部を環状突起にすることにより、クーラントフィルタの位置決め機能ほか、燃焼残渣がガス発生器の外に出ることを防止するショートパス防止機能も発揮できる。
【００１６】
本発明のガス発生器は、エアバッグ装置用として好適であるが、特に運転席用として使用できるディスク形状のガス発生器に適している。
【発明の効果】
【００１７】
本発明のガス発生器によれば、部品点数が削減できるほか、実質的に工数も削減することができ、全体の質量も減少させることができる。
【発明を実施するための最良の形態】
【００１８】
図１により、本発明の実施形態を説明する。図１は、本発明のガス発生器１０の縦断面図、図２は、他実施形態の位置決め部を示すハウジング（ディフューザシェル）を内側から見たときの平面図である。
【００１９】
図１に示すガス発生器１０の外殻を形成するハウジング１３は、ガス排出口１４を有するクロージャシェル１１とディフューザシェル１２が、それらのフランジ部１１ａ、１２ａで溶接一体化されたものである。
【００２０】
ハウジング１３内には、ガス発生剤の燃焼により発生したガスを冷却・濾過するための筒状のクーラントフィルタ１５が配置されている。そして、クーラントフィルタ１５は、両端面がハウジング天井面１３ａと底面１３ｂに形成された上部環状傾斜面１６と下部環状斜面１７に圧接された状態で配置されている。
【００２１】
ハウジング１３内の中央部には、周壁に伝火孔２０ａを有する内筒２０が配置され、内部は点火手段室２１となっている。点火手段室２１内には、点火器カラーに固定された電気式の点火器２３が収容され、残部空間には、図示していない公知の伝火薬が充填されている。
【００２２】
内筒２０の外側が燃焼室３０であり、図示していないガス発生剤が充填されている。燃焼室３０内のハウジング底面１３ｂ側には、ガス発生剤の充填量に応じて容量を調整するためのリテーナ３１が配置されている。
【００２３】
燃焼室３０内のハウジング天井面１３ａは、予め内側に凸状に形成されたクーラントフィルタの位置決め部４０を有している。図１に示す位置決め部４０は、全体を円周上に等間隔で配置した複数の独立突起（３〜１２個の独立突起）の組み合わせからなるものである。位置決め部４０は、ハウジング１３をプレス成形する際、位置決め部４０を形成できる金型を選択使用することで、ハウジング１３の成形と一緒に形成されたものである。
【００２４】
このような位置決め部４０を有していることにより、ハウジング１３内において、クーラントフィルタ１５が、その両端面が上部環状傾斜面１６と下部環状斜面１７に当接するように配置されたとき、ガス排出口１４方向への移動は、クーラントフィルタ１５の高さとハウジング１３の高さの違いから阻止され、内筒２０方向への移動は、位置決め部４０により阻止されるため、容易に位置決めができる。
【００２５】
その他、図２に示すとおり、環状突起からなる位置決め部４０Ａにすることにより、クーラントフィルタ１５の位置決めと共に、燃焼室３０内で発生した燃焼ガスが、クーラントフィルタ１５とハウジング天井面１３ａとの接触部から漏れ出ないようにするショートパス防止効果も高められる。
【００２６】
図１、図２に示す位置決め部４０、４０Ａを備えたガス発生器は、従来の製造工程内で形成できるものであるため、実質的な工数を増加させるものではない。また、位置決め部４０、４０Ａは、ディフューザシェル１１をプレス成形する際に、上下２つの金型を用いて形成できるので、所望形状の凸部を再現性良く形成することができる。よって、従来技術に比べると位置決めが正確になされる。また、従来のようなクーラントフィルタ１５を固定するためのクーラントサポートが不要になるため、部品点数及び工数を削減することができ、全体の質量も減少させることができる。
【００２７】
本発明のガス発生器は、例えば、各種乗り物の運転席のエアバック用ガス発生器、助手席のエアバック用ガス発生器、サイドエアバック用ガス発生器、インフレータブルカーテン用ガス発生器、ニーボルスター用ガス発生器、インフレータブルシートベルト用ガス発生器、チューブラーシステム用ガス発生器、プリテンショナー用ガス発生器に適用できるが、特に運転席のエアバック用ガス発生器として適してる。
【図面の簡単な説明】
【００２８】
【図１】本発明のガス発生器の縦断面図。
【図２】他実施形態のガス発生器における位置決め部の説明図。
【図３】従来技術のガス発生器の縦断面図。
【符号の説明】
【００２９】
１０  ガス発生器
１３  ハウジング
１５  クーラントフィルタ
１６  上部環状斜面
１７  下部環状斜面
３０  燃焼室
４０  位置決め部
【図１】
2008114773.tif 000003
【図２】
2008114773.tif 000004
【図３】
2008114773.tif 000005